【手続補正書】
【提出日】平成17年12月2日(2005.12.2)
【手続補正１】
【補正対象書類名】明細書
【補正対象項目名】発明の名称
【補正方法】変更
【補正の内容】
【発明の名称】光ピックアップ装置用対物レンズ、光ピックアップ装置、及びレンズ
【手続補正２】
【補正対象書類名】明細書
【補正対象項目名】特許請求の範囲
【補正方法】変更
【補正の内容】
【特許請求の範囲】
【請求項１】  第１の波長を有する第１の光束を射出する第１の光源と、前記第１の波長と異なる第２の波長を有する第２の光束を射出する第２の光源と、集光光学系と、光検出器と、を具備し、前記第１の光束を用いて、第１の光情報記録媒体に対する情報の再生または記録を行うとともに、前記第２の光束を用いて、第２の光情報記録媒体に対する情報の再生または記録を行う光ピックアップ装置に用いられる光ピックアップ装置用対物レンズにおいて、
屈折パワーを有するとともに少なくとも一方の光学面に回折面を有し、前記回折面で付加される回折パワーの正負の符号が、光軸と垂直に光軸から離れる方向において少なくとも１回切り替わることを特徴とする光ピックアップ装置用対物レンズ。
【請求項２】  前記第１の光束が前記回折面を通過することにより、前記第１の光束のｎ次回折光の回折量が前記第１の光束の他のいずれの次数の回折光量よりも大きい少なくとも１つの次数の回折光が発生され、前記第２の光束が前記回折面を通過することにより、前記第２の光束のｎ次回折光の回折光量が前記第２の光束の他のいずれの次数の回折光量よりも大きい少なくとも１つの次数の回折光が発生されることを特徴とする請求項１に記載の光ピックアップ装置用対物レンズ。ここで、ｎは０以外の整数である。
【請求項３】  光情報記録媒体から情報を再生し、または、光情報記録媒体に情報を記録するための光ピックアップ装置において使用される対物レンズであって、
屈折パワーを有するとともに、少なくとも一方の光学面に回折部を有し、
第１の透明基板を有する第１の光情報記録媒体から情報を再生し、または、前記第１の光情報記録媒体に情報を記録するための第１の波長を有する第１の光束が前記回折部の少なくとも一部を通過することにより、前記第１の光束のｎ次回折光（ここで、ｎは０以外の整数）の光量が前記第１の光束の他のいずれの次数の回折光の光量よりも大きい少なくとも１つの次数の回折光を発生させ、前記第１の光情報記録媒体から情報を再生するために、または、前記第１の光情報記録媒体に情報を記録するために、前記第１の光束の前記ｎ次回折光を、前記第１の透明基板を介して前記第１の光情報記録媒体の前記情報記録面上に集光することができ、
前記第１の透明基板とは厚さが異なる第２の透明基板を有する第２の光情報記録媒体から情報を再生し、または、前記第２の光情報記録媒体に情報を記録するための前記第１の波長と異なる第２の波長を有する第２の光束が前記回折部の少なくとも一部を通過することにより、前記第２の光束のｎ次回折光（ここで、ｎは０以外の整数）の光量が前記第２の光束の他のいずれの次数の回折光の光量よりも大きい少なくとも１つの次数の回折光を発生させ、前記第２の光情報記録媒体から情報を再生するために、または、前記第２の光情報記録媒体に情報を記録するために、前記第２の光束の前記ｎ次回折光を、前記第２の透明基板を介して前記第２の光情報記録媒体の前記情報記録面上に集光することができるとともに、前記回折部で付加される回折パワーの正負の符号が、光軸と垂直に光軸から離れる方向において少なくとも１回切り替わることを特徴とする光ピックアップ装置用対物レンズ。
【請求項４】  前記ｎ次回折光が１次回折光であることを特徴とする請求項２又は３に記載の光ピックアップ装置用対物レンズ。
【請求項５】  １枚のレンズからなることを特徴とする請求項１乃至４の何れか１項に記載の光ピックアップ装置用対物レンズ。
【請求項６】  請求項１乃至５の何れか１項に記載の光ピックアップ装置用対物レンズを有することを特徴とする光ピックアップ装置。
【請求項７】  光情報記録媒体から情報を再生し、または、光情報記録媒体に情報を記録するための光ピックアップ装置において、
第１の透明基板を有する第１の光情報記録媒体から情報を再生し、または、前記第１の光情報記録媒体に情報を記録するための第１の波長を有する第１の光束を射出する第１の光源と、
前記第１の透明基板とは厚さが異なる第２の透明基板を有する第２の光情報記録媒体から情報を再生し、または、前記第２の光情報記録媒体に情報を記録するための前記第１の波長と異なる第２の波長を有する第２の光束を射出する第２の光源と、
対物レンズと回折部とを有する集光光学系と、
前記第１の光情報記録媒体の情報記録面または前記第２の光情報記録媒体の情報記録面から反射された光束を受光するための光検出器と、を具備し、
前記集光光学系は、前記第１の光束が前記回折部の少なくとも一部を通過することにより、前記第１の光束のｎ次回折光（ここで、ｎは０以外の整数）の光量が前記第１の光束の他のいずれの次数の回折光の光量よりも大きい少なくとも１つの次数の回折光を発生させ、前記第１の光情報記録媒体から情報を再生するために、または、前記第１の光情報記録媒体に情報を記録するために、前記第１の光束の前記ｎ次回折光を、前記第１の透明基板を介して前記第１の光情報記録媒体の前記情報記録面上に集光することができ、
前記集光光学系は、前記第２の光束が前記回折部の少なくとも一部を通過することにより、前記第２の光束のｎ次回折光（ここで、ｎは０以外の整数）の光量が前記第２の光束の他のいずれの次数の回折光の光量よりも大きい少なくとも１つの次数の回折光を発生させ、前記第２の光情報記録媒体から情報を再生するために、または、前記第２の光情報記録媒体に情報を記録するために、前記第２の光束の前記ｎ次回折光を、前記第２の透明基板を介して前記第２の光情報記録媒体の前記情報記録面上に集光することができるとともに、前記回折部で付加される回折作用の正負の符号が、光軸と垂直に光軸から離れる方向において少なくとも１回切り替わることを特徴とする光ピックアップ装置。
【請求項８】  前記回折部における前記ｎ次回折光の回折効率が、前記第１の光束の波長と前記第２の光束の波長との間の波長において最大であることを特徴とする請求項７に記載の光ピックアップ装置。
【請求項９】  前記回折部における前記ｎ次回折光の回折効率が、前記第１の光束の波長または前記第２の光束の波長において最大であることを特徴とする請求項７に記載の光ピックアップ装置。
【請求項１０】  第３の光束を射出する第３の光源を更に具備し、前記第３の光束の波長は前記第１の光束及び第２の光束の波長と異なることを特徴とする請求項７乃至１０の何れか１項に記載の光ピックアップ装置。
【請求項１１】  前記回折部を通過した前記第３の光束においても、前記ｎ次回折光が他の次数の回折光に比して多く発生することを特徴とする請求項１０に記載の光ピックアップ装置。
【請求項１２】  前記光検出器は、前記第１の光束と前記第２の光束とに対して共通であることを特徴とする請求項７乃至１１の何れか１項に記載の光ピックアップ装置。
【請求項１３】  第２の光検出器を更に具備し、
前記光検出器は前記第１の光束用であり、前記第２の光検出器は前記第２の光束用であることを特徴とする請求項７乃至１１の何れか１項に記載の光ピックアップ装置。
【請求項１４】  前記光検出器と、前記第１の光源または前記第２の光源と、がユニット化されていることを特徴とする請求項７乃至１１の何れか１項に記載の光ピックアップ装置。
【請求項１５】  前記光検出器と、前記第１の光源及び前記第２の光源と、がユニット化されていることを特徴とする請求項７乃至１１の何れか１項に記載の光ピックアップ装置。
【請求項１６】  前記ｎ次回折光が１次回折光であることを特徴とする請求項７乃至１５の何れか１項に記載の光ピックアップ装置。
【請求項１７】  前記回折部は、前記対物レンズの１面に設けられていることを特徴とする請求項７乃至１６の何れか１項に記載の光ピックアップ装置。
【請求項１８】  前記対物レンズは１枚のレンズからなることを特徴とする請求項７乃至１７の何れか１項に記載の光ピックアップ装置。
【請求項１９】  光情報記録媒体に対する情報の記録および再生の少なくともいずれか一方を行う光ピックアップ装置に用いられ、屈折パワーを有するとともに少なくとも一方の光学面に回折面を有するレンズにおいて、
前記回折面で付加される回折パワーの正負の符号が、光軸と垂直に光軸から離れる方向において少なくとも１回切り替わることを特徴とするレンズ。
【請求項２０】  前記回折面はブレーズ化された複数の回折輪帯を有し、光軸に近い側の回折輪帯ではその段差部が光軸から離れた側に位置し、光軸から離れた側の回折輪帯ではその段差部が光軸に近い側に位置することを特徴とする請求項１９に記載のレンズ。
【請求項２１】  前記回折面はブレーズ化された複数の回折輪帯を有し、光軸に近い側の回折輪帯ではその段差部が光軸に近い側に位置し、光軸から離れた側の回折輪帯ではその段差部が光軸から離れた側に位置することを特徴とする請求項１９に記載のレンズ。
【手続補正３】
【補正対象書類名】明細書
【補正対象項目名】０００１
【補正方法】変更
【補正の内容】
【０００１】
【発明の属する技術分野】
本発明は、光ピックアップ装置用対物レンズ、光ピックアップ装置及びレンズに関する。
【手続補正４】
【補正対象書類名】明細書
【補正対象項目名】０００９
【補正方法】変更
【補正の内容】
【０００９】
本発明の目的は、互いに異なる少なくとも２つの波長の光をそれぞれ用いる、異なる種類の光情報記録媒体の記録及び／または再生を、１つの光ピックアップ装置で可能とする、光ピックアップ装置用対物レンズ、光ピックアップ装置、レンズを提供することである。
【手続補正５】
【補正対象書類名】明細書
【補正対象項目名】００１１
【補正方法】変更
【補正の内容】
【００１１】
さらに、複数のレーザーや複数の検出器の集積ユニットを用いたピックアップ装置においても、検出に悪影響を与えてしまうようなフレア光が光検出器上に照射されることなく、光検出器による光の検出が良好に行え、検出におけるＳ字特性も良好とすることを目的とする。さらに、光量のロスが少なく、光量の利用効率に優れた光ピックアップ装置用対物レンズ、光ピックアップ装置、レンズを提供することも本発明の目的である。
【手続補正６】
【補正対象書類名】明細書
【補正対象項目名】００１３
【補正方法】変更
【補正の内容】
【００１３】
一方、前述の様にＣＤやＤＶＤ以外の様々な光ディスクが普及してきており、これらの光ディスクに対しても互換性があって、しかも構成が簡単な光学系およびこれを備えた光ピックアップ装置が必要とされている。かかる光ピックアップ装置、光ピックアップ装置用対物レンズを提供することも本発明の目的である。
【手続補正７】
【補正対象書類名】明細書
【補正対象項目名】００１４
【補正方法】変更
【補正の内容】
【００１４】
【課題を解決するための手段】
上記目的を達成するために、請求項１の光ピックアップ装置用対物レンズは、第１の波長を有する第１の光束を射出する第１の光源と、前記第１の波長と異なる第２の波長を有する第２の光束を射出する第２の光源と、集光光学系と、光検出器と、を具備し、前記第１の光束を用いて、第１の光情報記録媒体に対する情報の再生または記録を行うとともに、前記第２の光束を用いて、第２の光情報記録媒体に対する情報の再生または記録を行う光ピックアップ装置に用いられる光ピックアップ装置用対物レンズにおいて、屈折パワーを有するとともに少なくとも一方の光学面に回折面を有し、前記回折面で付加される回折パワーの正負の符号が、光軸と垂直に光軸から離れる方向において少なくとも１回切り替わることを特徴とする。
【手続補正８】
【補正対象書類名】明細書
【補正対象項目名】００１５
【補正方法】変更
【補正の内容】
【００１５】
また、請求項３の光ピックアップ装置用対物レンズは、光情報記録媒体から情報を再生し、または、光情報記録媒体に情報を記録するための光ピックアップ装置において使用される対物レンズであって、屈折パワーを有するとともに、少なくとも一方の光学面に回折部を有し、第１の透明基板を有する第１の光情報記録媒体から情報を再生し、または、前記第１の光情報記録媒体に情報を記録するための第１の波長を有する第１の光束が前記回折部の少なくとも一部を通過することにより、前記第１の光束のｎ次回折光（ここで、ｎは０以外の整数）の光量が前記第１の光束の他のいずれの次数の回折光の光量よりも大きい少なくとも１つの次数の回折光を発生させ、前記第１の光情報記録媒体から情報を再生するために、または、前記第１の光情報記録媒体に情報を記録するために、前記第１の光束の前記ｎ次回折光を、前記第１の透明基板を介して前記第１の光情報記録媒体の前記情報記録面上に集光することができ、前記第１の透明基板とは厚さが異なる第２の透明基板を有する第２の光情報記録媒体から情報を再生し、または、前記第２の光情報記録媒体に情報を記録するための前記第１の波長と異なる第２の波長を有する第２の光束が前記回折部の少なくとも一部を通過することにより、前記第２の光束のｎ次回折光（ここで、ｎは０以外の整数）の光量が前記第２の光束の他のいずれの次数の回折光の光量よりも大きい少なくとも１つの次数の回折光を発生させ、前記第２の光情報記録媒体から情報を再生するために、または、前記第２の光情報記録媒体に情報を記録するために、前記第２の光束の前記ｎ次回折光を、前記第２の透明基板を介して前記第２の光情報記録媒体の前記情報記録面上に集光することができるとともに、前記回折部で付加される回折パワーの正負の符号が、光軸と垂直に光軸から離れる方向において少なくとも１回切り替わることを特徴とする。
【手続補正９】
【補正対象書類名】明細書
【補正対象項目名】００１６
【補正方法】変更
【補正の内容】
【００１６】
また、請求項６の光ピックアップ装置は、請求項１乃至５の何れか１項に記載の光ピックアップ装置用対物レンズを有することを特徴とする。
【手続補正１０】
【補正対象書類名】明細書
【補正対象項目名】００１７
【補正方法】変更
【補正の内容】
【００１７】
また、請求項７の光ピックアップ装置は、光情報記録媒体から情報を再生し、または、光情報記録媒体に情報を記録するための光ピックアップ装置において、第１の透明基板を有する第１の光情報記録媒体から情報を再生し、または、前記第１の光情報記録媒体に情報を記録するための第１の波長を有する第１の光束を射出する第１の光源と、前記第１の透明基板とは厚さが異なる第２の透明基板を有する第２の光情報記録媒体から情報を再生し、または、前記第２の光情報記録媒体に情報を記録するための前記第１の波長と異なる第２の波長を有する第２の光束を射出する第２の光源と、対物レンズと回折部とを有する集光光学系と、前記第１の光情報記録媒体の情報記録面または前記第２の光情報記録媒体の情報記録面から反射された光束を受光するための光検出器と、を具備し、前記集光光学系は、前記第１の光束が前記回折部の少なくとも一部を通過することにより、前記第１の光束のｎ次回折光（ここで、ｎは０以外の整数）の光量が前記第１の光束の他のいずれの次数の回折光の光量よりも大きい少なくとも１つの次数の回折光を発生させ、前記第１の光情報記録媒体から情報を再生するために、または、前記第１の光情報記録媒体に情報を記録するために、前記第１の光束の前記ｎ次回折光を、前記第１の透明基板を介して前記第１の光情報記録媒体の前記情報記録面上に集光することができ、前記集光光学系は、前記第２の光束が前記回折部の少なくとも一部を通過することにより、前記第２の光束のｎ次回折光（ここで、ｎは０以外の整数）の光量が前記第２の光束の他のいずれの次数の回折光の光量よりも大きい少なくとも１つの次数の回折光を発生させ、前記第２の光情報記録媒体から情報を再生するために、または、前記第２の光情報記録媒体に情報を記録するために、前記第２の光束の前記ｎ次回折光を、前記第２の透明基板を介して前記第２の光情報記録媒体の前記情報記録面上に集光することができるとともに、前記回折部で付加される回折作用の正負の符号が、光軸と垂直に光軸から離れる方向において少なくとも１回切り替わることを特徴とする。
【手続補正１１】
【補正対象書類名】明細書
【補正対象項目名】００１８
【補正方法】変更
【補正の内容】
【００１８】
また、請求項２の光ピックアップ装置用対物レンズは、請求項１において、前記第１の光束が前記回折部を通過することにより、前記第１の光束のｎ次回折光量が前記第１の光束の他のいずれの次数の回折光量よりも大きい少なくとも１つの次数の回折光が発生され、前記第２の光束が前記回折部を通過することにより、前記第２の光束のｎ次回折光量が前記第２の光束の他のいずれの次数の回折光量よりも大きい少なくとも１つの次数の回折光が発生されることを特徴とする。ここで、ｎは０以外の整数である。
【手続補正１２】
【補正対象書類名】明細書
【補正対象項目名】００１９
【補正方法】削除
【補正の内容】
【手続補正１３】
【補正対象書類名】明細書
【補正対象項目名】０１１５
【補正方法】削除
【補正の内容】
【手続補正１４】
【補正対象書類名】明細書
【補正対象項目名】０１１６
【補正方法】削除
【補正の内容】
【手続補正１５】
【補正対象書類名】明細書
【補正対象項目名】０１１７
【補正方法】削除
【補正の内容】
【手続補正１６】
【補正対象書類名】明細書
【補正対象項目名】０１１８
【補正方法】削除
【補正の内容】
【手続補正１７】
【補正対象書類名】明細書
【補正対象項目名】０１３０
【補正方法】削除
【補正の内容】
【手続補正１８】
【補正対象書類名】明細書
【補正対象項目名】０１３１
【補正方法】削除
【補正の内容】
【手続補正１９】
【補正対象書類名】明細書
【補正対象項目名】０１３２
【補正方法】変更
【補正の内容】
【０１３２】
また、請求項４の光ピックアップ装置用対物レンズは、請求項２または３において、前記ｎ次回折光が１次回折光であることを特徴とするものである。１次回折光はプラス１次回折光であってもよいし、マイナス１次回折光であってもよい。
【手続補正２０】
【補正対象書類名】明細書
【補正対象項目名】０１３３
【補正方法】変更
【補正の内容】
【０１３３】
請求項４によると、ｎ次回折光が１次回折光であることにより、ｎ次回折光が１次よりも高次の回折光である場合と比較して光量の損失が少ない。
【手続補正２１】
【補正対象書類名】明細書
【補正対象項目名】０１３４
【補正方法】削除
【補正の内容】
【手続補正２２】
【補正対象書類名】明細書
【補正対象項目名】０１３５
【補正方法】削除
【補正の内容】
【手続補正２３】
【補正対象書類名】明細書
【補正対象項目名】０１３６
【補正方法】削除
【補正の内容】
【手続補正２４】
【補正対象書類名】明細書
【補正対象項目名】０１３７
【補正方法】削除
【補正の内容】
【手続補正２５】
【補正対象書類名】明細書
【補正対象項目名】０１３８
【補正方法】削除
【補正の内容】
【手続補正２６】
【補正対象書類名】明細書
【補正対象項目名】０１３９
【補正方法】変更
【補正の内容】
【０１３９】
請求項１，３，７，１９においては、前記回折面または前記回折部で付加される回折作用（「回折パワー」ともいう。）の正負の符号が、光軸と垂直に光軸から離れる方向において少なくとも１回切り替わることを特徴とするものである。
【手続補正２７】
【補正対象書類名】明細書
【補正対象項目名】０１４０
【補正方法】変更
【補正の内容】
【０１４０】
前記回折面または前記回折部で付加される回折パワーの正負の符号が、光軸と垂直に光軸から離れる方向において少なくとも１回切り替わることによって、球面収差の波長変動を抑制することができる。
【手続補正２８】
【補正対象書類名】明細書
【補正対象項目名】０１４１
【補正方法】削除
【補正の内容】
【手続補正２９】
【補正対象書類名】明細書
【補正対象項目名】０１４２
【補正方法】変更
【補正の内容】
【０１４２】
前記回折面または前記回折部で付加される回折パワーが光軸と垂直に光軸から離れる方向において負から正に１回切り替わることによって、例えば、ＣＤ系及びＤＶＤ系とも対物レンズに平行光束が入射する場合に、情報記録媒体の透明基板の厚さの違いによる球面収差への影響を回折面の輪帯ピッチを過小にすることなく、効率よく補正することができる。
【手続補正３０】
【補正対象書類名】明細書
【補正対象項目名】０１４４
【補正方法】削除
【補正の内容】
【手続補正３１】
【補正対象書類名】明細書
【補正対象項目名】０１４５
【補正方法】削除
【補正の内容】
【手続補正３２】
【補正対象書類名】明細書
【補正対象項目名】０１４６
【補正方法】削除
【補正の内容】
【手続補正３３】
【補正対象書類名】明細書
【補正対象項目名】０１４７
【補正方法】削除
【補正の内容】
【手続補正３４】
【補正対象書類名】明細書
【補正対象項目名】０１４８
【補正方法】削除
【補正の内容】
【手続補正３５】
【補正対象書類名】明細書
【補正対象項目名】０１４９
【補正方法】削除
【補正の内容】
【手続補正３６】
【補正対象書類名】明細書
【補正対象項目名】０１５０
【補正方法】削除
【補正の内容】
【手続補正３７】
【補正対象書類名】明細書
【補正対象項目名】０１５１
【補正方法】削除
【補正の内容】
【手続補正３８】
【補正対象書類名】明細書
【補正対象項目名】０１５２
【補正方法】削除
【補正の内容】
【手続補正３９】
【補正対象書類名】明細書
【補正対象項目名】０１５３
【補正方法】削除
【補正の内容】
【手続補正４０】
【補正対象書類名】明細書
【補正対象項目名】０１５４
【補正方法】削除
【補正の内容】
【手続補正４１】
【補正対象書類名】明細書
【補正対象項目名】０１５５
【補正方法】削除
【補正の内容】
【手続補正４２】
【補正対象書類名】明細書
【補正対象項目名】０１５６
【補正方法】削除
【補正の内容】
【手続補正４３】
【補正対象書類名】明細書
【補正対象項目名】０１５７
【補正方法】削除
【補正の内容】
【手続補正４４】
【補正対象書類名】明細書
【補正対象項目名】０１５８
【補正方法】削除
【補正の内容】
【手続補正４５】
【補正対象書類名】明細書
【補正対象項目名】０１５９
【補正方法】削除
【補正の内容】
【手続補正４６】
【補正対象書類名】明細書
【補正対象項目名】０１６０
【補正方法】削除
【補正の内容】
【手続補正４７】
【補正対象書類名】明細書
【補正対象項目名】０１６１
【補正方法】削除
【補正の内容】
【手続補正４８】
【補正対象書類名】明細書
【補正対象項目名】０１６２
【補正方法】削除
【補正の内容】
【手続補正４９】
【補正対象書類名】明細書
【補正対象項目名】０１６３
【補正方法】削除
【補正の内容】
【手続補正５０】
【補正対象書類名】明細書
【補正対象項目名】０１６４
【補正方法】削除
【補正の内容】
【手続補正５１】
【補正対象書類名】明細書
【補正対象項目名】０１６５
【補正方法】削除
【補正の内容】
【手続補正５２】
【補正対象書類名】明細書
【補正対象項目名】０１６６
【補正方法】削除
【補正の内容】
【手続補正５３】
【補正対象書類名】明細書
【補正対象項目名】０１６７
【補正方法】削除
【補正の内容】
【手続補正５４】
【補正対象書類名】明細書
【補正対象項目名】０１６８
【補正方法】削除
【補正の内容】
【手続補正５５】
【補正対象書類名】明細書
【補正対象項目名】０１６９
【補正方法】削除
【補正の内容】
【手続補正５６】
【補正対象書類名】明細書
【補正対象項目名】０１７０
【補正方法】削除
【補正の内容】
【手続補正５７】
【補正対象書類名】明細書
【補正対象項目名】０１７１
【補正方法】変更
【補正の内容】
【０１７１】
また、請求項５の光ピックアップ装置用対物レンズは、請求項１乃至４のいずれかにおいて、前記対物レンズが１枚のレンズからなることを特徴とするものである。
【手続補正５８】
【補正対象書類名】明細書
【補正対象項目名】０１７２
【補正方法】削除
【補正の内容】
【手続補正５９】
【補正対象書類名】明細書
【補正対象項目名】０１７３
【補正方法】削除
【補正の内容】
【手続補正６０】
【補正対象書類名】明細書
【補正対象項目名】０１７４
【補正方法】削除
【補正の内容】
【手続補正６１】
【補正対象書類名】明細書
【補正対象項目名】０１７５
【補正方法】削除
【補正の内容】
【手続補正６２】
【補正対象書類名】明細書
【補正対象項目名】０１７６
【補正方法】削除
【補正の内容】
【手続補正６３】
【補正対象書類名】明細書
【補正対象項目名】０１７７
【補正方法】削除
【補正の内容】
【手続補正６４】
【補正対象書類名】明細書
【補正対象項目名】０１７８
【補正方法】削除
【補正の内容】
【手続補正６５】
【補正対象書類名】明細書
【補正対象項目名】０１７９
【補正方法】削除
【補正の内容】
【手続補正６６】
【補正対象書類名】明細書
【補正対象項目名】０１８０
【補正方法】削除
【補正の内容】
【手続補正６７】
【補正対象書類名】明細書
【補正対象項目名】０１８１
【補正方法】削除
【補正の内容】
【手続補正６８】
【補正対象書類名】明細書
【補正対象項目名】０１８２
【補正方法】削除
【補正の内容】
【手続補正６９】
【補正対象書類名】明細書
【補正対象項目名】０１８３
【補正方法】削除
【補正の内容】
【手続補正７０】
【補正対象書類名】明細書
【補正対象項目名】０１８４
【補正方法】削除
【補正の内容】
【手続補正７１】
【補正対象書類名】明細書
【補正対象項目名】０１８５
【補正方法】削除
【補正の内容】
【手続補正７２】
【補正対象書類名】明細書
【補正対象項目名】０１８６
【補正方法】削除
【補正の内容】
【手続補正７３】
【補正対象書類名】明細書
【補正対象項目名】０１８７
【補正方法】削除
【補正の内容】
【手続補正７４】
【補正対象書類名】明細書
【補正対象項目名】０１８８
【補正方法】削除
【補正の内容】
【手続補正７５】
【補正対象書類名】明細書
【補正対象項目名】０１８９
【補正方法】削除
【補正の内容】
【手続補正７６】
【補正対象書類名】明細書
【補正対象項目名】０１９０
【補正方法】削除
【補正の内容】
【手続補正７７】
【補正対象書類名】明細書
【補正対象項目名】０１９１
【補正方法】削除
【補正の内容】
【手続補正７８】
【補正対象書類名】明細書
【補正対象項目名】０１９２
【補正方法】削除
【補正の内容】
【手続補正７９】
【補正対象書類名】明細書
【補正対象項目名】０１９３
【補正方法】削除
【補正の内容】
【手続補正８０】
【補正対象書類名】明細書
【補正対象項目名】０１９４
【補正方法】削除
【補正の内容】
【手続補正８１】
【補正対象書類名】明細書
【補正対象項目名】０１９５
【補正方法】削除
【補正の内容】
【手続補正８２】
【補正対象書類名】明細書
【補正対象項目名】０１９６
【補正方法】削除
【補正の内容】
【手続補正８３】
【補正対象書類名】明細書
【補正対象項目名】０１９７
【補正方法】削除
【補正の内容】
【手続補正８４】
【補正対象書類名】明細書
【補正対象項目名】０１９８
【補正方法】削除
【補正の内容】
【手続補正８５】
【補正対象書類名】明細書
【補正対象項目名】０１９９
【補正方法】削除
【補正の内容】
【手続補正８６】
【補正対象書類名】明細書
【補正対象項目名】０２００
【補正方法】削除
【補正の内容】
【手続補正８７】
【補正対象書類名】明細書
【補正対象項目名】０２０１
【補正方法】削除
【補正の内容】
【手続補正８８】
【補正対象書類名】明細書
【補正対象項目名】０２０２
【補正方法】削除
【補正の内容】
【手続補正８９】
【補正対象書類名】明細書
【補正対象項目名】０２０３
【補正方法】削除
【補正の内容】
【手続補正９０】
【補正対象書類名】明細書
【補正対象項目名】０２０４
【補正方法】削除
【補正の内容】
【手続補正９１】
【補正対象書類名】明細書
【補正対象項目名】０２０５
【補正方法】削除
【補正の内容】
【手続補正９２】
【補正対象書類名】明細書
【補正対象項目名】０２０６
【補正方法】削除
【補正の内容】
【手続補正９３】
【補正対象書類名】明細書
【補正対象項目名】０２０７
【補正方法】削除
【補正の内容】
【手続補正９４】
【補正対象書類名】明細書
【補正対象項目名】０２０８
【補正方法】削除
【補正の内容】
【手続補正９５】
【補正対象書類名】明細書
【補正対象項目名】０２０９
【補正方法】削除
【補正の内容】
【手続補正９６】
【補正対象書類名】明細書
【補正対象項目名】０２１０
【補正方法】削除
【補正の内容】
【手続補正９７】
【補正対象書類名】明細書
【補正対象項目名】０２１１
【補正方法】削除
【補正の内容】
【手続補正９８】
【補正対象書類名】明細書
【補正対象項目名】０２１２
【補正方法】削除
【補正の内容】
【手続補正９９】
【補正対象書類名】明細書
【補正対象項目名】０２１３
【補正方法】削除
【補正の内容】
【手続補正１００】
【補正対象書類名】明細書
【補正対象項目名】０２１４
【補正方法】削除
【補正の内容】
【手続補正１０１】
【補正対象書類名】明細書
【補正対象項目名】０２１５
【補正方法】変更
【補正の内容】
【０２１５】
また、請求項１９のレンズは、光情報記録媒体に対する情報の記録および再生の少なくともいずれか一方を行う光ピックアップ装置に用いられ、屈折パワーを有するとともに少なくとも一方の光学面に回折面を有するレンズにおいて、前記回折面で付加される回折パワーの正負の符号が、光軸と垂直に光軸から離れる方向において少なくとも１回切り替わることを特徴とする。
【手続補正１０２】
【補正対象書類名】明細書
【補正対象項目名】０２１６
【補正方法】変更
【補正の内容】
【０２１６】
また、請求項２０のレンズは、上述の請求項１９のレンズにおいて、前記回折面はブレーズ化された複数の回折輪帯を有し、光軸に近い側の回折輪帯ではその段差部が光軸から離れた側に位置し、光軸から離れた側の回折輪帯ではその段差部が光軸に近い側に位置することを特徴とするものであり、また、請求項２１のレンズは、前記回折面はブレーズ化された複数の回折輪帯を有し、光軸に近い側の回折輪帯ではその段差部が光軸に近い側に位置し、光軸から離れた側の回
折輪帯ではその段差部が光軸から離れた側に位置することを特徴とする。
【手続補正１０３】
【補正対象書類名】明細書
【補正対象項目名】０２１７
【補正方法】削除
【補正の内容】
【手続補正１０４】
【補正対象書類名】明細書
【補正対象項目名】０２１８
【補正方法】削除
【補正の内容】
【手続補正１０５】
【補正対象書類名】明細書
【補正対象項目名】０２１９
【補正方法】削除
【補正の内容】
【手続補正１０６】
【補正対象書類名】明細書
【補正対象項目名】０２２０
【補正方法】削除
【補正の内容】
【手続補正１０７】
【補正対象書類名】明細書
【補正対象項目名】０２２１
【補正方法】削除
【補正の内容】
【手続補正１０８】
【補正対象書類名】明細書
【補正対象項目名】０２２２
【補正方法】削除
【補正の内容】
【手続補正１０９】
【補正対象書類名】明細書
【補正対象項目名】０２２４
【補正方法】削除
【補正の内容】
【手続補正１１０】
【補正対象書類名】明細書
【補正対象項目名】０２２５
【補正方法】削除
【補正の内容】
【手続補正１１１】
【補正対象書類名】明細書
【補正対象項目名】０２２６
【補正方法】削除
【補正の内容】
【手続補正１１２】
【補正対象書類名】明細書
【補正対象項目名】０２２７
【補正方法】削除
【補正の内容】
【手続補正１１３】
【補正対象書類名】明細書
【補正対象項目名】０２２８
【補正方法】削除
【補正の内容】
【手続補正１１４】
【補正対象書類名】明細書
【補正対象項目名】０２２９
【補正方法】削除
【補正の内容】
【手続補正１１５】
【補正対象書類名】明細書
【補正対象項目名】０２３０
【補正方法】削除
【補正の内容】
【手続補正１１６】
【補正対象書類名】明細書
【補正対象項目名】０２３１
【補正方法】削除
【補正の内容】
【手続補正１１７】
【補正対象書類名】明細書
【補正対象項目名】０２３２
【補正方法】削除
【補正の内容】
【手続補正１１８】
【補正対象書類名】明細書
【補正対象項目名】０２３３
【補正方法】削除
【補正の内容】
【手続補正１１９】
【補正対象書類名】明細書
【補正対象項目名】０２３４
【補正方法】削除
【補正の内容】
【手続補正１２０】
【補正対象書類名】明細書
【補正対象項目名】０２３５
【補正方法】削除
【補正の内容】
【手続補正１２１】
【補正対象書類名】明細書
【補正対象項目名】０２３６
【補正方法】削除
【補正の内容】
【手続補正１２２】
【補正対象書類名】明細書
【補正対象項目名】０２３７
【補正方法】削除
【補正の内容】
【手続補正１２３】
【補正対象書類名】明細書
【補正対象項目名】０２３８
【補正方法】削除
【補正の内容】
【手続補正１２４】
【補正対象書類名】明細書
【補正対象項目名】０２３９
【補正方法】削除
【補正の内容】
【手続補正１２５】
【補正対象書類名】明細書
【補正対象項目名】０２４０
【補正方法】削除
【補正の内容】
【手続補正１２６】
【補正対象書類名】明細書
【補正対象項目名】０２４１
【補正方法】削除
【補正の内容】
【手続補正１２７】
【補正対象書類名】明細書
【補正対象項目名】０２４２
【補正方法】削除
【補正の内容】
【手続補正１２８】
【補正対象書類名】明細書
【補正対象項目名】０２４３
【補正方法】削除
【補正の内容】
【手続補正１２９】
【補正対象書類名】明細書
【補正対象項目名】０２４４
【補正方法】削除
【補正の内容】
【手続補正１３０】
【補正対象書類名】明細書
【補正対象項目名】０２４５
【補正方法】削除
【補正の内容】
【手続補正１３１】
【補正対象書類名】明細書
【補正対象項目名】０２４６
【補正方法】削除
【補正の内容】
【手続補正１３２】
【補正対象書類名】明細書
【補正対象項目名】０２４７
【補正方法】削除
【補正の内容】
【手続補正１３３】
【補正対象書類名】明細書
【補正対象項目名】０２４８
【補正方法】削除
【補正の内容】
【手続補正１３４】
【補正対象書類名】明細書
【補正対象項目名】０２４９
【補正方法】削除
【補正の内容】
【手続補正１３５】
【補正対象書類名】明細書
【補正対象項目名】０２５０
【補正方法】削除
【補正の内容】
【手続補正１３６】
【補正対象書類名】明細書
【補正対象項目名】０２５１
【補正方法】削除
【補正の内容】
【手続補正１３７】
【補正対象書類名】明細書
【補正対象項目名】０２５２
【補正方法】削除
【補正の内容】
【手続補正１３８】
【補正対象書類名】明細書
【補正対象項目名】０２５３
【補正方法】削除
【補正の内容】
【手続補正１３９】
【補正対象書類名】明細書
【補正対象項目名】０２５４
【補正方法】削除
【補正の内容】
【手続補正１４０】
【補正対象書類名】明細書
【補正対象項目名】０２５５
【補正方法】削除
【補正の内容】
【手続補正１４１】
【補正対象書類名】明細書
【補正対象項目名】０２５６
【補正方法】削除
【補正の内容】
【手続補正１４２】
【補正対象書類名】明細書
【補正対象項目名】０２５７
【補正方法】削除
【補正の内容】
【手続補正１４３】
【補正対象書類名】明細書
【補正対象項目名】０２５８
【補正方法】削除
【補正の内容】
【手続補正１４４】
【補正対象書類名】明細書
【補正対象項目名】０２５９
【補正方法】削除
【補正の内容】
【手続補正１４５】
【補正対象書類名】明細書
【補正対象項目名】０２６０
【補正方法】削除
【補正の内容】
【手続補正１４６】
【補正対象書類名】明細書
【補正対象項目名】０２６１
【補正方法】削除
【補正の内容】
【手続補正１４７】
【補正対象書類名】明細書
【補正対象項目名】０２６２
【補正方法】削除
【補正の内容】
【手続補正１４８】
【補正対象書類名】明細書
【補正対象項目名】０２６３
【補正方法】削除
【補正の内容】
【手続補正１４９】
【補正対象書類名】明細書
【補正対象項目名】０２６４
【補正方法】削除
【補正の内容】
【手続補正１５０】
【補正対象書類名】明細書
【補正対象項目名】０２６５
【補正方法】削除
【補正の内容】
【手続補正１５１】
【補正対象書類名】明細書
【補正対象項目名】０２６６
【補正方法】削除
【補正の内容】
【手続補正１５２】
【補正対象書類名】明細書
【補正対象項目名】０２６７
【補正方法】削除
【補正の内容】
【手続補正１５３】
【補正対象書類名】明細書
【補正対象項目名】０２６８
【補正方法】削除
【補正の内容】
【手続補正１５４】
【補正対象書類名】明細書
【補正対象項目名】０２６９
【補正方法】削除
【補正の内容】
【手続補正１５５】
【補正対象書類名】明細書
【補正対象項目名】０２７０
【補正方法】削除
【補正の内容】
【手続補正１５６】
【補正対象書類名】明細書
【補正対象項目名】０２７１
【補正方法】削除
【補正の内容】
【手続補正１５７】
【補正対象書類名】明細書
【補正対象項目名】０２７２
【補正方法】削除
【補正の内容】
【手続補正１５８】
【補正対象書類名】明細書
【補正対象項目名】０２７３
【補正方法】削除
【補正の内容】
【手続補正１５９】
【補正対象書類名】明細書
【補正対象項目名】０２７４
【補正方法】削除
【補正の内容】
【手続補正１６０】
【補正対象書類名】明細書
【補正対象項目名】０２７５
【補正方法】削除
【補正の内容】
【手続補正１６１】
【補正対象書類名】明細書
【補正対象項目名】０２７６
【補正方法】削除
【補正の内容】
【手続補正１６２】
【補正対象書類名】明細書
【補正対象項目名】０２７７
【補正方法】削除
【補正の内容】
【手続補正１６３】
【補正対象書類名】明細書
【補正対象項目名】０２７８
【補正方法】削除
【補正の内容】
【手続補正１６４】
【補正対象書類名】明細書
【補正対象項目名】０２７９
【補正方法】削除
【補正の内容】
【手続補正１６５】
【補正対象書類名】明細書
【補正対象項目名】０２８０
【補正方法】削除
【補正の内容】
【手続補正１６６】
【補正対象書類名】明細書
【補正対象項目名】０２８１
【補正方法】削除
【補正の内容】
【手続補正１６７】
【補正対象書類名】明細書
【補正対象項目名】０２８２
【補正方法】削除
【補正の内容】
【手続補正１６８】
【補正対象書類名】明細書
【補正対象項目名】０２８３
【補正方法】削除
【補正の内容】
【手続補正１６９】
【補正対象書類名】明細書
【補正対象項目名】０２８４
【補正方法】削除
【補正の内容】
【手続補正１７０】
【補正対象書類名】明細書
【補正対象項目名】０２８５
【補正方法】削除
【補正の内容】
【手続補正１７１】
【補正対象書類名】明細書
【補正対象項目名】０２８６
【補正方法】削除
【補正の内容】
【手続補正１７２】
【補正対象書類名】明細書
【補正対象項目名】０２８７
【補正方法】削除
【補正の内容】
【手続補正１７３】
【補正対象書類名】明細書
【補正対象項目名】０２８８
【補正方法】削除
【補正の内容】
【手続補正１７４】
【補正対象書類名】明細書
【補正対象項目名】０２８９
【補正方法】削除
【補正の内容】
【手続補正１７５】
【補正対象書類名】明細書
【補正対象項目名】０２９０
【補正方法】削除
【補正の内容】
【手続補正１７６】
【補正対象書類名】明細書
【補正対象項目名】０２９１
【補正方法】削除
【補正の内容】
【手続補正１７７】
【補正対象書類名】明細書
【補正対象項目名】０２９２
【補正方法】削除
【補正の内容】
【手続補正１７８】
【補正対象書類名】明細書
【補正対象項目名】０２９３
【補正方法】削除
【補正の内容】
【手続補正１７９】
【補正対象書類名】明細書
【補正対象項目名】０２９４
【補正方法】削除
【補正の内容】
【手続補正１８０】
【補正対象書類名】明細書
【補正対象項目名】０２９５
【補正方法】削除
【補正の内容】
【手続補正１８１】
【補正対象書類名】明細書
【補正対象項目名】０２９６
【補正方法】削除
【補正の内容】
【手続補正１８２】
【補正対象書類名】明細書
【補正対象項目名】０２９７
【補正方法】削除
【補正の内容】
【手続補正１８３】
【補正対象書類名】明細書
【補正対象項目名】０２９８
【補正方法】削除
【補正の内容】
【手続補正１８４】
【補正対象書類名】明細書
【補正対象項目名】０２９９
【補正方法】削除
【補正の内容】
【手続補正１８５】
【補正対象書類名】明細書
【補正対象項目名】０３００
【補正方法】削除
【補正の内容】
【手続補正１８６】
【補正対象書類名】明細書
【補正対象項目名】０３０１
【補正方法】削除
【補正の内容】
【手続補正１８７】
【補正対象書類名】明細書
【補正対象項目名】０３０２
【補正方法】削除
【補正の内容】
【手続補正１８８】
【補正対象書類名】明細書
【補正対象項目名】０３０３
【補正方法】削除
【補正の内容】
【手続補正１８９】
【補正対象書類名】明細書
【補正対象項目名】０３０４
【補正方法】削除
【補正の内容】
【手続補正１９０】
【補正対象書類名】明細書
【補正対象項目名】０３０５
【補正方法】削除
【補正の内容】
【手続補正１９１】
【補正対象書類名】明細書
【補正対象項目名】０３０６
【補正方法】削除
【補正の内容】
【手続補正１９２】
【補正対象書類名】明細書
【補正対象項目名】０３０７
【補正方法】削除
【補正の内容】
【手続補正１９３】
【補正対象書類名】明細書
【補正対象項目名】０３０８
【補正方法】削除
【補正の内容】
【手続補正１９４】
【補正対象書類名】明細書
【補正対象項目名】０３０９
【補正方法】削除
【補正の内容】
【手続補正１９５】
【補正対象書類名】明細書
【補正対象項目名】０３１０
【補正方法】削除
【補正の内容】
【手続補正１９６】
【補正対象書類名】明細書
【補正対象項目名】０３１１
【補正方法】削除
【補正の内容】
【手続補正１９７】
【補正対象書類名】明細書
【補正対象項目名】０３１２
【補正方法】削除
【補正の内容】
【手続補正１９８】
【補正対象書類名】明細書
【補正対象項目名】０３１３
【補正方法】削除
【補正の内容】
【手続補正１９９】
【補正対象書類名】明細書
【補正対象項目名】０３１４
【補正方法】削除
【補正の内容】
【手続補正２００】
【補正対象書類名】明細書
【補正対象項目名】０３１５
【補正方法】削除
【補正の内容】
【手続補正２０１】
【補正対象書類名】明細書
【補正対象項目名】０３１６
【補正方法】削除
【補正の内容】
【手続補正２０２】
【補正対象書類名】明細書
【補正対象項目名】０３１７
【補正方法】削除
【補正の内容】
【手続補正２０３】
【補正対象書類名】明細書
【補正対象項目名】０３１８
【補正方法】削除
【補正の内容】
【手続補正２０４】
【補正対象書類名】明細書
【補正対象項目名】０３１９
【補正方法】削除
【補正の内容】
【手続補正２０５】
【補正対象書類名】明細書
【補正対象項目名】０３２０
【補正方法】削除
【補正の内容】
【手続補正２０６】
【補正対象書類名】明細書
【補正対象項目名】０３２１
【補正方法】削除
【補正の内容】
【手続補正２０７】
【補正対象書類名】明細書
【補正対象項目名】０３２２
【補正方法】削除
【補正の内容】
【手続補正２０８】
【補正対象書類名】明細書
【補正対象項目名】０３２３
【補正方法】削除
【補正の内容】
【手続補正２０９】
【補正対象書類名】明細書
【補正対象項目名】０３２４
【補正方法】削除
【補正の内容】
【手続補正２１０】
【補正対象書類名】明細書
【補正対象項目名】０３２５
【補正方法】削除
【補正の内容】
【手続補正２１１】
【補正対象書類名】明細書
【補正対象項目名】０３２６
【補正方法】削除
【補正の内容】
【手続補正２１２】
【補正対象書類名】明細書
【補正対象項目名】０３２７
【補正方法】削除
【補正の内容】
【手続補正２１３】
【補正対象書類名】明細書
【補正対象項目名】０３２８
【補正方法】削除
【補正の内容】
【手続補正２１４】
【補正対象書類名】明細書
【補正対象項目名】０３２９
【補正方法】削除
【補正の内容】
【手続補正２１５】
【補正対象書類名】明細書
【補正対象項目名】０３３０
【補正方法】削除
【補正の内容】
【手続補正２１６】
【補正対象書類名】明細書
【補正対象項目名】０３３１
【補正方法】削除
【補正の内容】
【手続補正２１７】
【補正対象書類名】明細書
【補正対象項目名】０３３２
【補正方法】削除
【補正の内容】
【手続補正２１８】
【補正対象書類名】明細書
【補正対象項目名】０３３３
【補正方法】削除
【補正の内容】
【手続補正２１９】
【補正対象書類名】明細書
【補正対象項目名】０３３４
【補正方法】削除
【補正の内容】
【手続補正２２０】
【補正対象書類名】明細書
【補正対象項目名】０３３５
【補正方法】削除
【補正の内容】
【手続補正２２１】
【補正対象書類名】明細書
【補正対象項目名】０３３６
【補正方法】削除
【補正の内容】
【手続補正２２２】
【補正対象書類名】明細書
【補正対象項目名】０３３７
【補正方法】削除
【補正の内容】
【手続補正２２３】
【補正対象書類名】明細書
【補正対象項目名】０３３８
【補正方法】削除
【補正の内容】
【手続補正２２４】
【補正対象書類名】明細書
【補正対象項目名】０３３９
【補正方法】削除
【補正の内容】
【手続補正２２５】
【補正対象書類名】明細書
【補正対象項目名】０３５０
【補正方法】削除
【補正の内容】
【手続補正２２６】
【補正対象書類名】明細書
【補正対象項目名】０３５１
【補正方法】削除
【補正の内容】
【手続補正２２７】
【補正対象書類名】明細書
【補正対象項目名】０３５２
【補正方法】削除
【補正の内容】
【手続補正２２８】
【補正対象書類名】明細書
【補正対象項目名】０３５３
【補正方法】削除
【補正の内容】
【手続補正２２９】
【補正対象書類名】明細書
【補正対象項目名】０３５４
【補正方法】削除
【補正の内容】
【手続補正２３０】
【補正対象書類名】明細書
【補正対象項目名】０３５５
【補正方法】削除
【補正の内容】
【手続補正２３１】
【補正対象書類名】明細書
【補正対象項目名】０３５６
【補正方法】削除
【補正の内容】
【手続補正２３２】
【補正対象書類名】明細書
【補正対象項目名】０３５７
【補正方法】削除
【補正の内容】
【手続補正２３３】
【補正対象書類名】明細書
【補正対象項目名】０３５８
【補正方法】削除
【補正の内容】
【手続補正２３４】
【補正対象書類名】明細書
【補正対象項目名】０３５９
【補正方法】削除
【補正の内容】
【手続補正２３５】
【補正対象書類名】明細書
【補正対象項目名】０３６０
【補正方法】削除
【補正の内容】
【手続補正２３６】
【補正対象書類名】明細書
【補正対象項目名】０３６１
【補正方法】削除
【補正の内容】
【手続補正２３７】
【補正対象書類名】明細書
【補正対象項目名】０３６２
【補正方法】変更
【補正の内容】
【０３６２】
【発明の実施の形態】
以下、好適な実施の形態について、図面を参照しつつ説明する。
【手続補正２３８】
【補正対象書類名】明細書
【補正対象項目名】０７３４
【補正方法】変更
【補正の内容】
【０７３４】
【発明の効果】
以上のように、本発明によると、回折面を有する少なくとも１つの光学素子を用いた簡単な構成で互いに異なる少なくとも２つの波長の光に対して球面収差および軸上色収差の補正が可能になる光ピックアップ装置、レンズ、および光ピックアップ装置用対物レンズを得ることができる。また、光ピックアップ装置において少なくとも光学系の小型軽量化および低コスト化を図ることができる。また、レンズ、および光ピックアップ装置用対物レンズが互いに異なる少なくとも２つの波長の光に対して同じ次数の回折光の回折効率を最大とする回折面を有する場合には、回折面が異なる次数の回折光の回折効率を最大とする場合と比較して光量の損失を少なくすることができる。
【手続補正２３９】
【補正対象書類名】明細書
【補正対象項目名】０７３５
【補正方法】変更
【補正の内容】
【０７３５】
また、特に、請求項１９，２０，２１のレンズに関し、屈折面上に回折レンズを設けることにより、波長の異なる２つの光源を持つ記録再生用光学系に用い、それぞれの光源波長に対して光量の損失が少なく、ほぼ回折限界まで収差の補正された回折光学系を得ることができる。
【手続補正２４０】
【補正対象書類名】明細書
【補正対象項目名】０７３６
【補正方法】削除
【補正の内容】
【手続補正２４１】
【補正対象書類名】明細書
【補正対象項目名】０７３７
【補正方法】削除
【補正の内容】
【手続補正２４２】
【補正対象書類名】明細書
【補正対象項目名】０７３８
【補正方法】削除
【補正の内容】